(57)【要約】      （修正有）【課題】認知症患者のみならず薬剤の定期服用が求められる服用者に対する薬剤の服用や投薬を支援する服薬支援ホルダーの提供。【解決手段】吊り下げ可能なカバー部材６−１、６−２と、服用者名、服用日時、該服用日時を特定する識別マーク２０−１〜３、３４−１〜３を表示し、服用薬を取り出し可能に収納する薬袋２４と、複数のカードをカバー部材６−１、６−２の間に挟み、カード表面４ａには服用日に該当する数字、識別マーク、薬袋２４の着脱部を備え、カード裏面４ｂには少なくとも服用者に宛てるメッセージを表示するメッセージ表示部３０−１、３０−２を備え、カバー部材６−１、６−２とともに複数のカードをめくり上げ可能に綴じるバインド部材と、めくり上げられたカードをめくり上げられた状態で保持する保持孔２８及びカード保持フック４８を有する保持部を、備える。【選択図】図５
0003201517.tif 000002
【実用新案登録請求の範囲】
【請求項１】
吊り下げ可能なカバー部材と、
服用者名、服用日時、該服用日時を表す着色、記号、形状または模様の何れか一つまたは２以上を含む識別マークを表示し、服用薬を取り出し可能に収納する薬袋と、
カード表面には服用日に該当する数字、前記識別マークに符合する識別マーク、前記薬袋の着脱部を備え、カード裏面には少なくとも服用者に宛てるメッセージを表示するメッセージ表示部を備える複数のカードと、
前記カバー部材とともに複数の前記カードをめくり上げ可能に綴じるバインド部材と、
めくり上げられた前記カードをめくり上げられた状態で保持する保持部と、
を備え、前記数字を拠り所とする前記服用日に前記薬袋から前記服用薬を取り出して服用可能にしたことを特徴とする服薬支援ホルダー。
【請求項２】
前記バインド部材は、前記カバー部材、前記カードにある綴孔に貫通させて前記カバー部材および前記カードを重ねて綴じる開閉可能な単一または複数のリング部を備えることを特徴とする請求項１に記載の服薬支援ホルダー。
【請求項３】
表面側および裏面側に前記カバー部材を備え、これらカバー部材の間に前記数字の１ないし１５の前記カードまたは前記数字の１６ないし３１の何れかまたは双方が数字順に前記バインド部材により綴じられていることを特徴とする請求項１または請求項２に記載の服薬支援ホルダー。
【請求項４】
前記カバー部材は、吊り下げ部材とともに前記保持部を備えることを特徴とする請求項１ないし請求項３のいずれかの請求項に記載の服薬支援ホルダー。
【請求項５】
前記薬袋は透かし部を備え、該透かし部により前記薬袋内の内容物を視認可能にしたことを特徴とする請求項１ないし請求項４のいずれかの請求項に記載の服薬支援ホルダー。
【考案の詳細な説明】
【技術分野】
【０００１】
本考案は、薬剤の投薬や服薬の支援に用いられる服薬支援ホルダーに関する。
【背景技術】
【０００２】
複数の薬剤の提供を受けて定期の服用が必要な服用者にあっては、服用すべき日時や服用量を自己管理することは煩わしいものである。不用意に薬剤を服用することは危険であり、複数の薬剤の過剰服用は安全性を損なうので、極力回避しなければならない。
【０００３】
斯かる服用管理に関し、日めくりカレンダーに薬を収納する袋を配し、この袋から患者が薬を取り出して服用に供する服薬カレンダーが知られている（たとえば、特許文献１）。また、薬入れとして服用時刻表示を付したもの（たとえば、特許文献２）も知られている。
【先行技術文献】
【特許文献】
【０００４】
【特許文献１】実用新案登録第３１７９３６６号公報
【特許文献２】実用新案登録第３１１２０６２号公報
【考案の概要】
【考案が解決しようとする課題】
【０００５】
ところで、認知症患者では、服用薬にたとえば、認知症薬の他、睡眠導入剤などが含まれる場合がある。斯かる薬剤の不規則服用や過剰服用は過度な睡眠を誘発させる。しかしながら、極端な管理を強いることは、認知症の程度によるが、患者の自律性を損なうことになりかねない。
【０００６】
投薬された薬剤に服用日時が付されていれば、その日時に服用すればよいので、健常者からみれば、便利である。しかし、認知症患者では程度にもよるが、日時と薬剤が関係付けられていても、誤服用、不規則服用、多重服用、服用忘れなどを回避できないという課題がある。
【０００７】
服薬の強制的な管理は薬剤の特性や薬効からは有効であっても、服用者側の自律性を損なうマイナス面もあるとの介護現場からの声もある。
【０００８】
そこで、本考案の目的は上記課題に鑑み、認知症患者のみならず薬剤の定期服用が求められる服用者に対する薬剤の服用や投薬を支援することにある。
【課題を解決するための手段】
【０００９】
上記目的を達成するため、本考案の服薬支援ホルダーの一側面によれば、吊り下げ可能なカバー部材と、服用者名、服用日時、該服用日時を表す着色、記号、形状または模様の何れか一つまたは２以上を含む識別マークを表示し、服用薬を取り出し可能に収納する薬袋と、カード表面には服用日に該当する数字、前記識別マークに符合する識別マーク、前記薬袋の着脱部を備え、カード裏面には少なくとも服用者に宛てるメッセージを表示するメッセージ表示部を備える複数のカードと、前記カバー部材とともに複数の前記カードをめくり上げ可能に綴じるバインド部材と、めくり上げられた前記カードをめくり上げられた状態で保持する保持部とを備え、前記数字を拠り所とする前記服用日に前記薬袋から前記服用薬を取り出して服用可能にしたことを特徴とする。
【００１０】
上記服薬支援ホルダーにおいて、前記バインド部材は、前記カバー部材、前記カードにある綴孔に貫通させて前記カバー部材および前記カードを重ねて綴じる開閉可能な単一または複数のリング部を備えてよい。
【００１１】
上記服薬支援ホルダーにおいて、表面側および裏面側に前記カバー部材を備え、これらカバー部材の間に前記数字の１ないし１５の前記カードまたは前記数字の１６ないし３１の何れかまたは双方が数字順に前記バインド部材により綴じられてよい。
【００１２】
上記服薬支援ホルダーにおいて、前記カバー部材は、吊り下げ部材とともに前記保持部を備えてよい。
【００１３】
上記服薬支援ホルダーにおいて、前記薬袋は透かし部を備え、該透かし部により前記薬袋内の内容物を視認可能にしてよい。
【考案の効果】
【００１４】
本考案によれば、次のような効果が得られる。
【００１５】
(1) カードをめくり上げて保持部に保持させると、最上面のカード表面にある数字を拠り所にし、薬袋で指定されている服用時に薬袋から服用薬を取り出し、適正な薬剤を服用できる。
【００１６】
(2) 服用者はカレンダーの日に対応したカードの数字で服用日が特定でき、薬の服用日を服用薬毎に認識する労力から解放されるだけでなく、数字で特定された服用薬を服用するだけでよいので、服用忘れや日を跨がる過剰服用を防止できる。
【００１７】
(3) 服用すると、薬袋をカードから離脱させ、またはカードに戻したとしても、該当日の薬袋から薬剤が服用で消費されるので、服用したことを忘れて再度の服用や多重服用するなどの不規則な服用を防止できる。
【００１８】
(4) 薬局などの投薬者側は、薬袋に服用薬を装填して服薬支援ホルダーに取り付け、この服薬支援ホルダーを単位として服用者やその保護者に提供でき、投薬の管理性や信頼性を高めることができる。
【図面の簡単な説明】
【００１９】
【図１】本考案の服薬支援ホルダーの実施例を示す斜視図である。
【図２】カードの表面および裏面を示す図である。
【図３】薬袋の表面および裏面を示す図である。
【図４】カバー部材およびバインド部材を示す図である。
【図５】服薬支援ホルダーの使用状態を示す図である。
【図６】カードのめくり上げを説明するための図である。
【図７】服薬支援ホルダーの他の使用状態を示す図である。
【考案を実施するための形態】
【００２０】
本考案の服薬支援ホルダーの一側面によれば、カバー部材と、薬袋と、複数のカードと、バインド部材と、保持部とが備えられる。
【００２１】
カバー部材は、服薬支援ホルダーのたとえば、表面および裏面側に備えられてカードをカバーする部材であり、吊り下げ可能である。
【００２２】
薬袋は、服用薬を収納する袋である。この薬袋には服用者名、服用日時、および服用日時を特定する識別マークを備える。識別マークは図形、模様または色彩のいずれか、またはこれらの組み合わせの何れでもよい。この識別マークを服用時ごとに異なる色彩のたとえば、着色を付せば、色彩の相違により服用日時を判別できる。
【００２３】
カードは、単一または複数で構成されてカバー部材とともにバインド部材に装抜可能に綴じられ、薬袋の保持と、服用日を特定する。したがって、カード表面には服用日に該当する数字、識別マーク、薬袋が着脱可能な着脱部を備える。また、カード裏面には服用者名、少なくとも服用者に宛てられたメッセージを表示するメッセージ表示部の何れかを備える。カードは、１枚ずつめくることが可能であり、めくり上げられたカードの裏面にはたとえば、次のカードの付された数字で特定される服用薬に関する情報が表示されている。
【００２４】
バインド部材は、カバー部材とともに単一または複数枚のカードを綴じる。カバー部材およびカードは、このバインド部材を基準に開閉可能に保持される。
【００２５】
保持部はめくり上げられたカードをカバー部材にめくり上げられた状態で保持させる。この保持部には、カードの保持孔と、たとえば、カバー部材側の保持部材とを含んでよい。
【００２６】
斯かる服薬支援ホルダーによれば、カードに付された数字を拠り所にし、服用薬を服用日に薬袋から取り出して服用可能である。
【００２７】
服用者に対する薬剤提供者は、服薬支援ホルダーを用いて服用者に投薬することができ、薬剤提供者と服用者の関係を維持することができる。つまり、服薬支援ホルダーの機能は、投薬された薬剤を服用者に提供する機能に限定されない。薬局などの薬剤提供者は、服用者側からの依頼を受け、服薬支援ホルダーを従前の投薬袋に代えて用いればよい。分包された薬剤や錠剤を服用日時に対応する薬袋に入れ、服薬支援ホルダーを単位として服用者に提供できるから、この服薬支援ホルダーは、服用支援だけでなく、投薬管理にも寄与する。
【実施例】
【００２８】
＜服薬支援ホルダー＞
【００２９】
図１は、本考案の一実施例に係る服薬支援ホルダーを示している。図１に示す構成は一例であり、斯かる構成に本考案は限定されない。
【００３０】
この服薬支援ホルダー２は複数枚のカード４をカバー部材６−１、６−２の間に挟み、バインド部材８によって開閉可能に綴じられている。
【００３１】
各カード４はたとえば、Ａ４版を超える程度の大きさおよび形状の板状部材であり、平面形状を維持できる厚紙、合成樹脂板などの素材で形成すればよい。各カード４は服用日を単位として構成され、ひとつの服薬支援ホルダー２にはたとえば、月の前半の１日から１５日、月の後半の１６日から３１日（または２８日、２９または３０日）を単位として綴じればよい。
【００３２】
各カバー部材６−１、６−２はたとえば、各カード４をカバーできる大きさおよび形状の厚紙、合成樹脂板などの板状部材またはケース部材で形成し、素材はカード４を防護するなどの補強機能や形状維持機能を備えるものであればよい。このカバー部材６−１にはたとえば、「服薬支援ホルダー」と明示され、服薬支援アイテムであることの表示とともに、服用者名を表示すればよい。「杉並花子」は服用者の一例であり、服薬支援ホルダー２で服用者であることが特定される。この服薬支援ホルダー２には薬剤提供者を表示してもよい。
【００３３】
各カバー部材６−１の一方の縁部にはバインド部材８を通す複数の貫通孔１０が一列に備えられ、各貫通孔１０にはバインド部材８が着脱可能に取り付けられている。カバー部材６−１の他方の縁部には一対の取付け孔１２が形成され、これら取付け孔１２には吊下げ紐１４が取り付けられている。カバー部材６−１、６−２には破線で示す支持孔１５を備え、これら支持孔１５間に紐を通して縛り、カバー部材６−１、６−２間を保持してもよい。これにより、薬剤の散逸を防止できる。
【００３４】
＜カード４＞
【００３５】
図２のＡは、カード４のカード表面４ａを示している。このカード表面４ａの上縁側には、カバー部材６−１、６−２と同様に複数の貫通孔１０が一列に備えられ、各貫通孔１０によりバインド部材８を以て綴じられる。
【００３６】
このカード表面４ａには、中央に数字表示１６、数字表示１６の右側にカード収納部１８、数字表示１６の下側に複数の識別マーク２０−１、２０−２、２０−３および薬袋取付け部２２−１、２２−２、２２−３が配置されている。
【００３７】
数字表示１６は、服用日に相当する数字が表示される。この例では、数字の「３」が表示されており、この「３」は、服用日の「３日」に相当する。つまり、月や曜日には全く関係しない日のみである。
【００３８】
カード収納部１８はたとえば、透明部材で形成され、診察券、保険証などの個人カードを収納し、その個人カードが収納されていることが視認可能であればよい。
【００３９】
識別マーク２０−１、２０−２、２０−３は服用時を特定する識別票である。この例では、識別マーク２０−１がたとえば、朝食後、識別マーク２０−２が昼食後、識別マーク２０−３が夕食後を表している。各識別マーク２０−１、２０−２、２０−３はたとえば、色彩の異なる着色バーや、トランプ記号のハートマーク、ダイヤマーク、スペードマーク、クラブマークなどの記号、図形、模様の何れか一つまたはこれらの２以上の組み合わせであってもよく、文字以外の情報で服用時が特定できればよい。
【００４０】
薬袋取付け部２２−１、２２−２、２２−３は一例として破線で区画表示される。各薬袋取付け部２２−１、２２−２、２２−３には薬袋２４（図３）を着脱可能に取り付ける接着部材２６−１が設置されている。この接着部材２６−１はたとえば、接着テープ、片面接着テープ、両面接着テープ、接着剤などの接着片を用いてもよい。
【００４１】
このカード表面４ａの下縁側には保持孔２８が形成されている。この保持孔２８は保持部の一例であり、めくり上げられたカード４をめくり上げられた状態で保持するために用いられる。
【００４２】
図２のＢは、カード４のカード裏面４ｂを示している。このカード裏面４ｂは、図２のＡに示すカード表面４ａ固有の裏面部を示している。
【００４３】
カード裏面４ｂには、中央にメッセージ表示３０−１、３０−２が設定され、右肩部には次頁のカード４のカード表面４ａの数字表示１６と同様の数字を表示する数字表示３０−３が備えられている。
【００４４】
メッセージ表示３０−１には一例として、「今日のお薬飲みましたか？」との服用者に対する服用の問い掛けメッセージが表示されている。メッセージ表示３０−２には保護者などのメッセージや備忘録に用いればよい。
【００４５】
数字表示３０−３には、次頁のカード４のカード表面４ａにある数字、この例では数字「４」が表示されている。つまり、数字表示１６の数字「Ｎ」に対し、数字表示３０−３には数字「Ｎ＋１」を表示する。これにより、カード表面４ａの数字表示１６の数字とめくり上げられたカード４のカード裏面４ｂの数字表示３０−３の数字を符合させることができる。
【００４６】
＜薬袋２４＞
【００４７】
図３のＡは、薬袋２４の薬袋表面２４ａを示している。薬袋２４はたとえば、透明または半透明の合成樹脂など、薬剤３２の収納器であり、合成樹脂の容器であってもよい。収納される薬剤３２は錠剤、分包された顆粒薬、粉薬の他、液薬であってもよい。
【００４８】
薬袋表面２４ａには、上部側に識別マーク３４−１が表示されている。この識別マーク３４−１は、服用時を表し、既述の識別マーク２０−１に符合している。つまり、服用時が朝食後であれば、識別マーク２０−１と識別マーク３４−１は同一の形態で、服用時を表示する。
【００４９】
この識別マーク３４−１の下側には、服用日表示３６、服用者表示３８、服用時表示４０が明示されている。服用日表示３６は、薬袋２４に入れられる薬剤３２の正確な服用日が表示され、この例では、年、月、日が表示される。服用者表示３８には、服薬支援ホルダー２の服用者名に一致した氏名が表示される。これにより、服薬支援ホルダー２に明示された服用者名に対応する薬剤３２が薬袋２４に入れられ、これらの対応関係を管理することができる。
【００５０】
服用者表示３８の下側にある服用時表示４０は、既述した識別マーク２０−１、３４−１に対応する。図示しないが、服用時表示４０が「昼食後」であれば、識別マーク２０−２、３４−２、服用時表示４０が「夕食後」であれば、識別マーク２０−３、３４−３に対応し、服用時を峻別することができる。つまり、識別マーク２０−１、３４−１・・・の着色などの態様と、文字で表示された服用時表示４０とを合わせて確認できる。
【００５１】
図３のＢは、薬袋２４の薬袋裏面２４ｂを示している。この薬袋裏面２４ｂには、上部側に接着部材２６−２が設置されている。この接着部材２６−２には既述の接着部材２６−１と着脱自在に接着される。これら接着部材２６−１、２６−２はテープ状接着剤の他、面ファスナーであってもよい。
【００５２】
＜バインド部材８＞
【００５３】
図４のＡは、カバー部材６−１、６−２とともに、バインド部材８を示している。このバインド部材８は、棒状の支持部材４２に複数の綴じリング４４が取り付けられ、各綴じリング４４は開閉可能である。各綴じリング４４の間隔はカバー部材６−１、６−２およびカード４の貫通孔１０の穿孔間隔に一致している。
【００５４】
各綴じリング４４には一対の綴じリング片４４−１、４４−２が備えられ、綴じリング片４４−１、４４−２は支持部材４２に開閉可能に取り付けられている。綴じリング片４４−１、４４−２の開口端部には噛み合い部４６を備えれば、必要に応じて開閉し、閉状態でロックさせることができる。
【００５５】
カバー部材６−１には、カバー部材６−１を吊り下げた状態で支持孔１２より下部位置にカード保持フック４８が取り付けられている。このカード保持フック４８はめくり上げられた状態でカード４を保持する保持部の一例であり、めくり上げられたカード４の保持孔２８に挿入される。
【００５６】
図４のＢに示すように、綴じリング４４を開いてカバー部材６−１、６−２を取り付け、綴じリング４４を各貫通孔１０に挿入することによりカード４を装着し、綴じることができる。
【００５７】
＜服用支援ホルダー２の一使用形態＞
【００５８】
図５は、服薬支援ホルダー２の服用者側の一使用形態を示している。壁５０にたとえば、フック５２を取り付け、このフック５２に吊下げ紐１４を掛けて服薬支援ホルダー２を図５に示すように、壁５０に垂下状態で服薬支援ホルダー２を取り付けて使用することができる。
【００５９】
図５に示す使用状態では、３日目のカード４のカード表面４ａが表示されている。２日目のカード裏面４ｂの数字表示３０−３には前日のカード裏面４ｂにある数字「３」が表示されている。
【００６０】
この場合、２日目のカード４の保持孔２８に、カバー部材６−１のカード保持フック４８を挿入し、カバー部材６−１に保持されている。そのカード裏面４ｂがカード表面４ａの上側に配置され、カード表面４ａに対してメッセージ表示３０−１、３０−２を機能させることができる。
【００６１】
服用者は３日目のカード４から服用薬を認識し、服用時の到来により薬袋２４から薬剤３２を取り出し、服用することができる。
【００６２】
図６は、服薬支援ホルダー２からカード４のめくり上げを示している。矢印Ｍに示すように、３日目に２日目のカード４をめくり上げると、図５に示すように、３日目のカード４のカード表面４ａが上面にあるから、このカード表面４ａから３日目の薬袋２４を外し、その内から薬剤３２を取り出すことができる。
【００６３】
３日目に医療機関に通院することが必要であれば、カード収納部１８に収納された診察券５４を取り出すことができる。
【００６４】
＜服用支援ホルダー２の他の使用形態＞
【００６５】
この服薬支援ホルダー２を用いた薬剤の服用支援には服用者自身の服用管理に加え、介護者に求められる薬剤の服用管理が含まれることは当然のことであるが、これに限定されない。つまり、薬局などの薬剤提供者側においても、服用者との関係を服用支援ホルダー２を以て維持することができる。
【００６６】
薬剤提供者は、服用者から服用支援ホルダー２の提供を受けることにより、必要な薬袋２４に薬剤３２を装填して服薬支援ホルダー２に取り付け、この服薬支援ホルダー２を単位として服用者やその保護者に提供できる。これにより、投薬の管理性や信頼性を高めることができる。
【００６７】
この場合、提供される薬剤３２の量などに対応し、たとえば、服薬支援ホルダー２を月の前半と後半に分け、カード４を１ないし１５と、１６ないし３１の２分冊として使用し、薬剤３２の提供の定期的な便宜を図ることができる。勿論、週間単位または１カ月単位でもよい。複数冊利用するのであれば、数カ月を単位としてもよい。薬剤提供者と薬剤３２の提供を受ける者との関係を重視すれば、服薬支援ホルダー２を媒介として薬剤３２の授受を合理的に行うことができる。
【００６８】
＜実施例の効果＞
【００６９】
上記実施例によれば、次のような効果が得られる。
【００７０】
(1) 薬剤３２の服用者は、服用日に相当するカード４から服用時に相当する薬袋２４を外し、その薬袋２４から薬剤３２を取り出して服用することができる。
【００７１】
(2) 服用者は、カード４に表示された数字を拠り所として、服用日を特定し、服用日に必要な薬剤３２を服用できる。
【００７２】
(3) 識別マーク２０−１、３４−１、２０−２、３４−２、２０−３、３４−３から服用時を認識でき、日時を意識する必要はない。識別マーク２０−１、３４−１、２０−２、３４−２、２０−３、３４−３に表示されている着色などの形態から服用時を認識すればよく、服用日時を気にする必要はない。
【００７３】
(4) カード４をめくり上げて保持孔２８にカード保持フック４８を挿入させて保持させれば、最上面のカード４のカード表面４ａを配置できる。これにより、カード表面４ａにある数字を拠り所にし、その該当する日に合わせれば、カード表面４ａにある薬袋２４から薬剤３２を取り出し服用できる。
【００７４】
(5) 服用者はカレンダーの日に対応したカード４の数字で服用日を特定でき、薬剤３２の服用日を服用薬毎に認識する労力から解放され、数字で特定された薬剤３２を服用することにより、服用忘れや過剰服用を防止できる。
【００７５】
(6) 服用すると、薬袋２４をカード４から離脱させ、またはカード４に戻したとしても、該当日の薬袋２４から薬剤３２が消費されるので、服用したことを忘れて再度の服用や多重服用などの不規則な服用を防止できる。
【００７６】
(7) この服薬支援ホルダー２では、薬袋２４のみに月日や曜日を入れても、薬袋２４が添付されるカード４には数字のみで特定されているので、曜日や月の日数などによる影響を回避でき、年を超え半永久的に使用できる。カード４が損耗、破損、紛失しても該当する数字のカードを補填すればよい。
【００７７】
＜服用支援ホルダー２の他の使用形態＞
【００７８】
図７は、服用支援ホルダー２の使用形態の変形例を示している。上記実施例では、壁５０に服薬支援ホルダー２を吊り下げ状態で使用しているが、これに限定されない。図７に示すように、服薬支援ホルダー２を支持具５６を用いてテーブル５８などに設置してもよい。支持具５６はたとえば、台座部６０に傾斜状の設置部６２を備え、この設置部６２から上方に傾斜して立ち上がる傾斜支持部６４を備え、設置部６２と傾斜支持部６４との境部にバインド部材８を収容するバインダ収容部６６を備えればよい。
【００７９】
設置部６２には凸部６８が備えられ、傾斜支持部６４にはフック部７０が備えられる。凸部６８に服用支援ホルダー２のカバー部材６−２の縁部を当てて支持させるとともに、フック部７０にカバー部材６−２の支持孔１２を係合させ、バインダ収容部６６にバインド部材８を挿入すれば、支持具５６によって服薬支援ホルダー２を開状態でテーブル５８に設置できる。
【００８０】
このような使用形態によっても、上記実施例と同様に、服用者が薬剤３２の服用の利便性を享受することができる。
【００８１】
〔他の実施の形態〕
【００８２】
(1) 上記実施例では、朝食後、昼食後、夕食後の３回の薬剤の服用時を想定した服薬支援ホルダー２を例示したが、２回であってもよいし、就寝前を加えた４回の服用であってもよいし、日を単位とする１回の服用であってもよい。
【００８３】
(2) 上記実施例では、カバー部材６−１に穿孔して壁５０に吊下げ紐１４を用いて設置する形態を例示したが、吊下げ紐１４を除いて取付け孔１２によりフックを用いて壁５０に設置する形態であってもよい。
【００８４】
(3) 上記実施例では、カード４に服用者名を明示していないが、服用者名を表示し、服用者名と薬袋２４側の氏名とを符合させてもよい。
【００８５】
(4) 上記カバー部材６−１、６−２はカード４の収納ケースとしてもよい。
【００８６】
(5) 各カード４には少なくともカード表面４ａに曜日を付し、月単位の使用に供してもよい。
【００８７】
以上説明したように、本考案の最も好ましい実施形態等について説明した。本考案は、上記記載に限定されるものではない。実用新案登録請求の範囲に記載され、または明細書に開示された考案の要旨に基づき、当業者において様々な変形や変更が可能である。斯かる変形や変更が、本考案の範囲に含まれることは言うまでもない。
【産業上の利用可能性】
【００８８】
本考案は、服薬支援ホルダーの日付に対応するカードの数字を拠り所として薬剤の服用の支援や管理を行うことができ、認知症患者のみならず、定期服用が義務付けられた薬剤の服用や投薬を支援し、服薬や投薬の管理性を向上させ、有用である。
【符号の説明】
【００８９】
２  服薬支援ホルダー
４  カード
４ａ  カード表面
４ｂ  カード裏面
６−１、６−２  カバー部材
８  バインド部材
１０  貫通孔
１２  取付け孔
１４  吊下げ紐
１５  支持孔
１６  数字表示
１８  カード収納部
２０−１、２０−２、２０−３、３４−１、３４−２、３４−３  識別マーク
２２−１、２２−２、２２−３  薬袋取付け部
２４  薬袋
２４ａ  薬袋表面
２４ｂ  薬袋裏面
２６−１、２６−２  接着部材
２８  保持孔
３０−１、３０−２  メッセージ表示
３０−３  数字表示
３２  薬剤
３６  服用日表示
３８  服用者表示
４０  服用時表示
４２  支持部材
４４  綴じリング
４４−１、４４−２  綴じリング片
４６  噛み合い部
４８  カード保持フック
５０  壁
５２  フック
５４  診察券
５６  支持具
５８  テーブル
６０  台座部
６２  設置部
６４  傾斜支持部
６６  バインダ収容部
６８  凸部
７０  フック部
【図１】
0003201517.tif 000003
【図２】
0003201517.tif 000004
【図３】
0003201517.tif 000005
【図４】
0003201517.tif 000006
【図５】
0003201517.tif 000007
【図６】
0003201517.tif 000008
【図７】
0003201517.tif 000009